(57)【要約】【課題】植物繊維を得る手段として、人手により植物茎の皮と芯とを分離し、多くの人手と大量の水を使い植物繊維を取り出していたのを、自動で、極めて少ない量の水だけを使って、簡単に、大量に取り出すことを可能にする。【解決手段】フィルターを通して浄化、再循環させる少量の水だけを使い、皮が乾く程度に半乾燥させて、適度の長さに切断した植物茎を材料送りユニットで送り、高圧水噴射により皮をバラバラにほぐして植物茎の芯と分離し、皮の繊維と植物芯を、きれいに洗浄し、別々の容器に排出する。また、多段化することで、植物芯をも破砕する拡張機能を持つ装置。【選択図】図１
0003108559.tif 000002
【実用新案登録請求の範囲】
【請求項１】
図３に示す送りローラー支持アーム１４に取り付けられた駆動モーター７で駆動される送りローラー６により、送りパイプ９の中を材料供給口８から投入された植物茎１０を送るための装置で、送りローラー支持アーム１４は、図３に示す矢印の方向にスイングする構造とし、駆動モーター７や送りローラー６の自重により植物茎１０をホールドし、、太さがまちまちな植物茎１０に対応し、植物茎１０を確実に送るために、送りローラー６の植物茎１０に接する面には、滑りによる効率ロスを防止するゴムリング１３を埋め込んだ材料送りユニット。
【請求項２】
図１、図２に示す高水圧供給ホース３で外部のフィルター付高圧水供給装置につながった高圧水噴射ユニット２を四方に備え、材料送りユニットと接続した送りパイプ取付口１５から送られる、皮が乾く程度に半乾燥させて、適度の長さに切断された植物茎１０に、噴射ノズル１６から高圧水を噴射し、その水圧で植物茎１０の皮を洗浄すると共に、バラバラにほぐして、傾斜のついた排出口４から水と一緒に排出し、植物芯１２は、植物芯排出パイプ５から洗浄された状態で排出する構造を主とする本考案装置本体。
【請求項３】
図８に示す１段目の本考案装置の植物芯排出パイプ５を２段目の本考案装置の材料供給口８に接続し、植物皮繊維１１を１段目の装置の排出口４から排出し、破砕植物芯１８を２段目の装置の排出口４から排出するという本考案装置の多段組み合わせによる拡張機能。
【請求項４】
図９に示す本考案装置と高圧水供給装置間の水循環図で、通常の使用では、本考案装置は１段で使用する。その水の循環は、本考案装置Ａで、植物芯１２は、植物芯容器１９に排出され、植物皮繊維１１は、その汚れや水溶性物質を含んだ水と一緒に、植物皮繊維容器２０に排出される。植物皮繊維容器２０には、植物皮繊維１１だけが残され、汚水は、フィルター２１を通して汚れを取り去り、再び、高圧水供給装置２２から本考案装置Ａに送られる。
多段化した場合は、植物皮繊維１１と一緒に排出された水の循環の流れは、１段の場合と同様であるが、植物芯１２は、本考案装置Ｂに送られ、高水圧により破砕された破砕植物芯１８と一緒に汚水が排出される。破砕植物芯容器２３には、破砕植物芯１８だけが残され、汚水はフィルター２１を通して汚れを取り去り、再び、高圧水供給装置２２から本考案装置Ａと本考案装置Ｂに送られる。という水の循環になる本考案装置と高圧水供給装置との組合せによる水循環機構。
【考案の詳細な説明】
【技術分野】
【０００１】  本考案は、少量の水だけを使い、植物茎の外皮に含まれる繊維をバラバラにほぐし、外皮と芯を分離、洗浄し、別々に取り出す装置に関するものである。
【背景技術】
【０００２】  柔らかくて強い性質の植物繊維は、廃棄の際には土に返り、環境を汚さない天然物質として、簡単に、大量に取り出す方法が切望されている。その芯の部分は、樹脂充填材、建築用材料、紙パルプとして、皮の部分は、従来のガラス繊維に代わる繊維積層体ボードの材料、樹脂強化材等、さまざまな用途に利用されようとしている。
従来の植物繊維の取り出し法を見ると、微生物発酵により植物茎を腐らせ、水を加えて撹拌し、繊維だけを取り出す方法として、丸ごとの植物茎からの繊維取り出し法としては特開２００２−１１５１８８の広報に、皮の部分からの繊維取り出し法としては特開２００１−３３６０２２の広報に記載されている。これらは、微生物発酵させる期間と水を大量に必要とする。水が大量にある所でなければ出来ないと言う問題がある。【０００３】  また、植物茎を芯と皮に分離した後、一定長に切断し、水と混合し、撹拌粉砕し、水煮の行程を経て化学処理を施さずに、植物繊維を取り出す方法が特許２９６００６３に記載されているが、植物茎を芯と皮とに分離する手法は、皮を剥いで、皮と芯とに分離し、芯および皮を、それぞれ、はさみ、包丁などの切断道具でチップ化し、等の記述があるだけである。手作業で植物茎の皮と芯を分離するのは、大量に供給するには向かない欠点となる。【０００４】  生の植物茎を圧搾し水分を絞り出して植物の皮を水洗いで剥がす方法は、パルプ作成の前処理として、特開２００１−２８８６８６に記載されている。これもまた、多くの水を必要とする問題がある。
【考案の開示】
【考案が解決しようとする課題】
【０００５】  解決しようとする問題点は、人手により植物茎の皮と芯とを分離し、水煮や水洗いによって植物繊維を得る方法では、多くの人手と大量の水を使う点である。
【課題を解決するための手段】
【０００６】  本考案は、少量の水だけを使い、高圧水噴射により、自動で植物茎の皮を洗浄すると共に、皮の繊維をバラバラにほぐし、芯と皮を分離し、皮の繊維と芯を、別々の容器に排出する事を、もっとも主要な特徴とする。また、装置を多段化することで、植物芯をも破砕する拡張機能を持つ
【考案の効果】
【０００７】  本考案装置は、少量の水による高圧水噴射により、植物茎の皮の繊維をバラバラにほぐし、芯と皮を分離し、使用した水は、植物繊維と一緒に排出され、汚れを取るフィルターを通して、再び使用することにより、極めて少ない水で、植物茎の芯と皮を分離し、皮の部分に関しては、その汚れを洗浄すると共に、繊維をバラバラにほぐして排出。芯の部分に関しては、皮を剥ぎ取り、きれいに洗浄された芯を排出するという利点がある。また、装置を多段化すると、２段目の装置からは芯の破砕物を得ることができるという利点もある。
【考案を実施するための最良の形態】
【０００８】  少量の水で、植物茎の皮の繊維をバラバラにほぐし、芯と皮を洗浄分離し、別々に取り出し。さらには、芯の破砕取り出しという目的をも、自動化で実現した。
【実施例】
【０００９】  図１は、本考案装置本体の半断面斜視図であり、図２は、本考案装置本体の斜視図、図３は、本考案装置の材料送りユニット斜視図で、本考案装置の構造を示すものである。
図４は、高圧水噴射の動作イメージ斜視図で、図５は、高圧水噴射ノズルからの噴射形状イメージ図で、本考案装置本体内部の働きを表すものである。
図６は、本考案装置の材料送りユニットと本体を組み合わせた実施例斜視図で、図７は、本考案装置の材料送りユニットと本体を組み合わせた実施例側面図で、図８は、本考案装置を多段化した実施例側面図で、本考案装置の実施例を示すものである。
図９は、本考案装置と高圧水供給装置間での水の循環図である。【００１０】  図１、図２に示す本考案装置本体は、高水圧供給ホース３で外部のフィルター２１の付いた高水圧供給装置２２につながった高圧水噴射ユニット２を四方に備え、材料送りユニットから送りパイプ取付口１５を通して送られてくる植物茎１０に、噴射ノズル１６から高圧水を噴射し、その水圧で植物茎１０の皮を洗浄し、バラバラにほぐして、傾斜のついた排出口４から水と共に排出し、植物芯１２は、植物芯排出パイプ５から洗浄された状態で排出する構造を主とする装置である。【００１１】  また、図３に示す材料送りユニットは、送りローラー支持アーム１４に取り付けられた駆動モーター７によって駆動される送りローラー６により、材料供給口８から投入される植物茎１０を本考案装置の本体１に送るための補助装置である。送りローラー支持アーム１４は、図３に示す矢印の方向にスイングする構造とし、駆動モーター７や送りローラー６の自重により植物茎１０をホールドし、、太さがまちまちな材料としての植物茎１０に対応した。
また、植物茎１０を確実に送るために、送りローラー６の植物茎１０に接する面には、ゴムリング１３を埋め込んで滑りによる効率ロスを防止した。【００１２】  図４は、本考案装置本体内部での高圧水噴射の動作イメージであるが、４つの高圧水噴射ユニット２に囲まれた中心を通過する植物茎１０は、図に示すような四方からの高圧水の噴射を受ける。その高圧水の衝突により、最初に、汚れや水溶性物質が落とされて洗浄され、更に、高圧水の衝突を受けて、植物茎１０の皮はバラバラにほぐされて、植物皮繊維１１として吹き飛ばされて、水と一緒に周囲に落ちる。植物皮繊維１１が落ちる面は、排出口４に続く傾斜が付けてあるために、水と一緒に滑り落ちて行く。四方に設置された高圧水噴射ユニット２先端の噴射ノズル１６から噴射される高圧水は、外部の高圧水供給装置２２で、４つの高圧水噴射ユニット２の噴射圧を、植物皮繊維１１を排出するに最適な水圧に、それぞれ調整して使用する。図５に示す噴射ノズル１６から噴射される噴射形状１７は扁平な形状に噴射する。【００１３】  図６は、本考案装置の材料送りユニットと本体を組み合わせた実施例斜視図であるが、皮が乾く程度に半乾燥させ、適度の長さに切断した植物茎１０が、材料供給口８から供給され、植物皮繊維１１が排出口４から排出され、植物芯１２が植物芯排出パイプ５から排出される実施例を示したものである。図７は、本考案装置の材料送りユニットと本体を組み合わせた実施例側面図であるが、排出口４の傾斜角度を明確に示すために側面から描いたものである。【００１４】  図８は、本考案装置を多段化した実施例側面図であるが、１段目の本考案装置の植物芯排出パイプ５を２段目の本考案装置の材料供給口８に接続し、排出口４を、それぞれ、違う方向に向けて設置し、植物皮繊維１１を１段目の排出口４から排出し、破砕植物芯１８を２段目の排出口４から排出するという実施例を示す側面図である。【００１５】  図９は、本考案装置と高圧水供給装置間での水の循環を示す図であるが、通常の使用では、本考案装置は１段で使用する。その水の循環は、本考案装置Ａから、植物芯１２は植物芯容器１９に排出され、植物皮繊維１１は、その汚れや水溶性物質を含んだ水と一緒に、植物皮繊維容器２０に排出される。植物皮繊維容器２０には、植物皮繊維１１だけが残され、汚水はフィルター２１を通して汚れを取り去り、再び、高圧水供給装置２２から本考案装置Ａに送られる。
多段化した場合は、植物皮繊維１１と一緒に排出された水の循環の流れは、１段の場合と同様であるが、植物芯１２が、本考案装置Ｂに送られ、破砕植物芯１８と一緒に汚水が排出される。破砕植物芯容器２３には、破砕植物芯１８だけが残され、汚水はフィルター２１を通して汚れを取り去り、再び、高圧水供給装置２２から本考案装置Ａと本考案装置Ｂに送られる。という水の循環になる。
【産業状の利用可能性】
【００１６】  このシステムによって、自然に蒸発する分や繊維に付着して蒸発する分の水は補給せねばならないが、極めて少量の水によって、植物茎の皮の繊維を洗浄してバラバラにほぐして排出し、植物茎の芯の部分を破砕して排出することも可能になり、ケナフなどの生育地に代表される、水が貴重な地域に於いても、環境を汚さずに、簡単に、大量に、植物繊維を取り出すのに大いに役立つ。
【図面の簡単な説明】
【００１７】
【図１】本考案装置本体の半断面斜視図である。
【図２】本考案装置本体の斜視図である。
【図３】本考案装置の材料送りユニット斜視図である。
【図４】高圧水噴射の動作イメージ斜視図である。
【図５】高圧水噴射ノズルからの噴射形状イメージ図である。
【図６】本考案装置の材料送りユニットと本体を組み合わせた実施例斜視図である。
【図７】本考案装置の材料送りユニットと本体を組み合わせた実施例側面図である。
【図８】本考案装置を多段化した実施例側面図である。
【図９】本考案装置と高圧水供給装置間での水の循環図である。
【符号の説明】
【００１８】１  本体
２  高圧水噴射ユニット
３  高圧水供給ホース
４  植物繊維排出口
５  送りローラー
６  植物芯排出パイプ
７  駆動モーター
８  材料供給口
９  送りパイプ
１０  植物茎
１１  植物皮繊維
１２  植物芯
１３  ゴムリング
１４  送りローラー支持アーム
１５  送りパイプ取り付け口
１６  噴射ノズル
１７  噴射形状
１８  破砕植物芯
１９  植物芯容器
２０  植物皮繊維容器
２１  フィルター
２２  高圧水供給装置
２３  破砕植物芯容器
【図１】
0003108559.tif 000003
【図２】
0003108559.tif 000004
【図３】
0003108559.tif 000005
【図４】
0003108559.tif 000006
【図５】
0003108559.tif 000007
【図６】
0003108559.tif 000008
【図７】
0003108559.tif 000009
【図８】
0003108559.tif 000010
【図９】
0003108559.tif 000011
【手続補正書】
【提出日】平成16年8月17日(2004.8.17)
【手続補正１】
【補正対象書類名】実用新案登録請求の範囲
【補正対象項目名】全文
【補正方法】変更
【補正の内容】
【実用新案登録請求の範囲】
【請求項１】
送りパイプに入れられる植物茎を並んだローラーの間に挟んで送る構造を持つ送りローラーユニットと、植物茎の周囲から高圧水を噴射することによって皮繊維を分離する高圧水噴射ユニットを植物茎の通り道の周囲に設置し、ばらばらになった植物茎の皮繊維を排出するための斜めの床面を持つ排出口と植物芯だけを排出する植物芯排出パイプを備える構造を持つ本体との組合せから成る本考案装置。
【請求項２】
「請求項１」に於ける、植物茎を入れる送りパイプを挟んで左右に設置し、それぞれ、支持される上部の１点を中心に円弧を描いてスイングする構造の送りローラー支持アームに取り付けられた駆動モーターと送りローラーの自重を利用して、さまざまな太さの植物茎を、左右に並んだローラーの間に挟んだ状態で送る送りローラーユニット。
【請求項３】
「請求項１」に於ける、本体内の植物茎の通り道の周囲に植物茎の皮繊維をバラバラにほぐすための高圧水噴射する噴射ノズルを有した高圧水噴射ユニットを持ち、植物茎の皮繊維排出のための斜めの床面を持つ排出口と残された植物芯を排出するための植物芯排出パイプを備える構造の本考案装置の本体。
【手続補正２】
【補正対象書類名】明細書
【補正対象項目名】全文
【補正方法】変更
【補正の内容】
【考案の詳細な説明】
【技術分野】
【０００１】  本考案は、少量の水だけを使い、植物茎の外皮に含まれる繊維をバラバラにほぐし、外皮と芯を分離、洗浄し、別々に取り出す装置に関するものである。
【背景技術】
【０００２】  柔らかくて強い性質の植物繊維は、廃棄の際には土に返り、環境を汚さない天然物質として、簡単に、大量に取り出す方法が切望されている。その芯の部分は、樹脂充填材、建築用材料、紙パルプとして、皮の部分は、従来のガラス繊維に代わる繊維積層体ボードの材料、樹脂強化材等、さまざまな用途に利用されようとしている。
従来の植物繊維の取り出し法を見ると、微生物発酵により植物茎を腐らせ、水を加えて撹拌し、繊維だけを取り出す方法として、丸ごとの植物茎からの繊維取り出し法としては特開２００２−１１５１８８の広報に、皮の部分からの繊維取り出し法としては特開２００１−３３６０２２の広報に記載されている。これらは、微生物発酵させる期間と水を大量に必要とする。水が大量にある所でなければ出来ないと言う問題がある。【０００３】  また、植物茎を芯と皮に分離した後、一定長に切断し、水と混合し、撹拌粉砕し、水煮の行程を経て化学処理を施さずに、植物繊維を取り出す方法が特許２９６００６３に記載されているが、植物茎を芯と皮とに分離する手法は、皮を剥いで、皮と芯とに分離し、芯および皮を、それぞれ、はさみ、包丁などの切断道具でチップ化し、等の記述があるだけである。手作業で植物茎の皮と芯を分離するのは、大量に供給するには向かない欠点となる。【０００４】  生の植物茎を圧搾し水分を絞り出して植物の皮を水洗いで剥がす方法は、パルプ作成の前処理として、特開２００１−２８８６８６に記載されている。これもまた、多くの水を必要とする問題がある。
【考案の開示】
【考案が解決しようとする課題】
【０００５】  解決しようとする問題点は、人手により植物茎の皮と芯とを分離し、水煮や水洗いによって植物繊維を得る方法では、多くの人手と大量の水を使う点である。
【課題を解決するための手段】
【０００６】  本考案は、少量の水だけを使い、高圧水噴射により、自動で植物茎の皮を洗浄すると共に、皮の繊維をバラバラにほぐし、芯と皮を分離し、皮の繊維と芯を、別々の容器に排出する事を特徴とする。また、装置を多段化することで、植物芯をも破砕する機能を持つ。
【考案の効果】
【０００７】  本考案装置は、少量の水による高圧水噴射により、植物茎の皮の繊維をバラバラにほぐし、芯と皮を分離し、使用した水は、植物繊維と一緒に排出し、汚れを取るフィルターを通して、再び使用することにより、極めて少ない水で、植物茎の芯と皮を分離し、皮の部分に関しては、その汚れを洗浄すると共に、繊維をバラバラにほぐして排出。芯の部分に関しては、皮を剥ぎ取り、きれいに洗浄された芯を排出するという利点がある。また、装置を多段化すると、２段目の装置からは芯の破砕物を得ることができるという利点もある。
【考案を実施するための最良の形態】
【０００８】  少量の水で、植物茎の皮の繊維をバラバラにほぐし、芯と皮を洗浄分離し、別々に取り出し。さらには、芯の破砕取り出しという目的をも、自動化で実現した。
【実施例】
【０００９】  図１は、本考案装置の斜視実施図であり、図２は、本考案装置の側面図、図３は、本体の半断面斜視図である。図４は、高圧水噴射の動作イメージ斜視図で本体内部の働きを表し、図５は、高圧水噴射ノズルからの噴射形状イメージ図である。図６は、本考案装置を多段化した実施例側面図で、図７は、本考案装置と高圧水供給装置間での水の循環図である。【００１０】図１に示す本考案装置は、植物茎を送る材料送りユニットと植物茎の周囲から高圧水噴射する本体との組合せからなる装置で、本体は、高水圧供給ホース３で外部の高水圧供給装置につながった高圧水噴射ユニット２を四方に備え、材料送りユニットから送りローラーによって送られてくる植物茎１０に高圧水を噴射し、その水圧で植物茎１０の皮を洗浄し、バラバラにほぐして、傾斜のついた排出口４から水と共に排出し、植物芯１２は、植物芯排出パイプ５から洗浄された状態で排出する構造の装置である。【００１１】  また、図１に示す材料送りユニットは、上部の１点で支持された送りローラー支持アーム１４に取り付けられた駆動モーター７によって駆動される送りローラー６により、材料供給口８から投入される植物茎１０を本体１に送る部分である。送りローラー支持アーム１４は、支持される上部の１点を中心に円弧を描いてスイングする構造で、駆動モーター７と送りローラー６の自重により植物茎１０をローラーに挟んでホールドし、太さの異なる植物茎１０に対応する構造を持つ。また、植物茎１０を確実に送るために、送りローラー６の植物茎１０に接する面には、ゴムリング１３を埋め込んで滑りによる効率ロスを防止している。【００１２】  図４は、本考案装置本体内部での高圧水噴射の動作イメージであるが、４つの高圧水噴射ユニット２に囲まれた中心を通過する植物茎１０は、図に示すような四方からの高圧水の噴射を受ける。その高圧水の衝突により、最初に、汚れや水溶性物質が落とされて洗浄され、更に、高圧水の衝突を受けて、植物茎１０の皮はバラバラにほぐされて、植物皮繊維１１として吹き飛ばされて、水と一緒に周囲に落ちる。植物皮繊維１１が落ちる面は、排出口４に続く傾斜が付けてあるために、水と一緒に滑り落ちて行く。四方に設置された高圧水噴射ユニット２先端の噴射ノズル１６から噴射される高圧水は、外部の高圧水供給装置で、４つの高圧水噴射ユニット２の噴射圧を、植物皮繊維１１を排出するに最適な水圧に、それぞれ調整して使用する。図５に示す噴射ノズル１６から噴射される噴射形状１７は扁平な形状に噴射する。【００１３】図２は、本考案装置の側面図であるが、皮が乾く程度に半乾燥させ、適度の長さに切断した植物茎１０が、材料供給口８から供給され、植物皮繊維１１が排出口４から排出され、植物芯１２が植物芯排出パイプ５から排出される実施例を側面図で示したものである。図３は、本体の半断面斜視図で、本体の内部構造を示すもので、本体１内の植物茎の通り道の周囲に、高圧水を扁平噴射する噴射ノズル１６を有した高圧水噴射ユニット２を配した構造である。【００１４】図６は、本考案装置を多段化した実施例側面図であるが、１段目の本考案装置の植物芯排出パイプ５を２段目の本考案装置の材料供給口８に接続し、排出口４を、それぞれ、違う方向に向けて設置し、植物皮繊維１１を１段目の排出口４から排出し、破砕植物芯１８を２段目の排出口４から排出するという実施例を示す側面図である。【００１５】図７は、本考案装置と高圧水供給装置間での水の循環図であるが、通常の使用では、本考案装置は１段で使用する。その水の循環は、本考案装置Ａから、植物芯１２は植物芯容器１９に排出され、植物皮繊維１１は、その汚れや水溶性物質を含んだ水と一緒に、植物皮繊維容器２０に排出される。植物皮繊維容器２０には、植物皮繊維１１だけが残され、汚水はフィルター２１を通して汚れを取り去り、再び、高圧水供給装置２２から本考案装置Ａに送られる。
多段化した場合は、植物皮繊維１１と一緒に排出された水の循環の流れは、１段の場合と同様であるが、植物芯１２が本考案装置Ｂに送られ破砕され、破砕植物芯１８となって水と一緒に排出される。破砕植物芯容器２３には、破砕植物芯１８だけが残され、水はフィルター２１を通して汚れを取り去り、再び、高圧水供給装置２２から本考案装置Ａと本考案装置Ｂに送られる。という水の循環になる。
【産業状の利用可能性】
【００１６】本考案装置によって、自然に蒸発する分や繊維に付着して蒸発する分の水は補給せねばならないが、極めて少量の水によって、植物茎の皮の繊維を洗浄してバラバラにほぐして植物芯と別々に排出し、植物茎の芯の部分を破砕して排出することも可能になり、ケナフなどの生育地に代表される水が貴重な地域に於いても、環境を汚さずに、簡単に、大量に、植物繊維を取り出すのに大いに役立つ。
【図面の簡単な説明】
【００１７】
【図１】本考案装置の斜視実施図である。
【図２】本考案装置の側面図である。
【図３】本体の半断面斜視図である。
【図４】高圧水噴射の動作イメージ斜視図である。
【図５】高圧水噴射ノズルからの噴射形状イメージ図である。
【図６】本考案装置を多段化した実施例側面図である。
【図７】本考案装置と高圧水供給装置間での水の循環図である。
【符号の説明】
【００１８】１  本体
２  高圧水噴射ユニット
３  高圧水供給ホース
４  植物繊維排出口
５  送りローラー
６  植物芯排出パイプ
７  駆動モーター
８  材料供給口
９  送りパイプ
１０  植物茎
１１  植物皮繊維
１２  植物芯
１３  ゴムリング
１４  送りローラー支持アーム
１５  送りパイプ取り付け口
１６  噴射ノズル
１７  噴射形状
１８  破砕植物芯
１９  植物芯容器
２０  植物皮繊維容器
２１  フィルター
２２  高圧水供給装置
２３  破砕植物芯容器
【手続補正３】
【補正対象書類名】図面
【補正対象項目名】全図
【補正方法】変更
【補正の内容】
【図１】
0003108559.tif 000012
【図２】
0003108559.tif 000013
【図３】
0003108559.tif 000014
【図４】
0003108559.tif 000015
【図５】
0003108559.tif 000016
【図６】
0003108559.tif 000017
【図７】
0003108559.tif 000018
【手続補正書】
【提出日】平成16年11月11日(2004.11.11)
【手続補正１】
【補正対象書類名】実用新案登録請求の範囲
【補正対象項目名】全文
【補正方法】変更
【補正の内容】
【実用新案登録請求の範囲】
【請求項１】
送りパイプに入れられる植物茎を並んだローラーの間に挟んで送る構造を持つ送りローラーユニットと、植物茎の周囲から高圧水を噴射することによって皮繊維を分離する高圧水噴射ユニットを植物茎の通り道の周囲に設置し、ばらばらになった植物茎の皮繊維を排出するための斜めの床面を持つ排出口と植物芯だけを排出する植物芯排出パイプを備える構造を持つ植物茎外皮繊維洗浄分離ユニットとの組合せから成る植物茎の外皮繊維と芯とを洗浄分離する装置。
【請求項２】
請求項１に記載の装置において、植物茎を入れる送りパイプを挟んで左右に設置し、それぞれ、支持される上部の１点を中心に円弧を描いてスイングする構造の送りローラー支持アームに取り付けられた駆動モーターと送りローラーの自重を利用して、さまざまな太さの植物茎を左右に並んだローラーの間に挟んだ状態で送る、植物茎の外皮繊維と芯とを洗浄分離する装置の送りローラーユニット。
【請求項３】
請求項１に記載の装置において、本体内の植物茎の通り道の周囲に植物茎の皮繊維をバラバラにほぐすための高圧水噴射する噴射ノズルを有した高圧水噴射ユニットを持ち、植物茎の皮繊維排出のための斜めの床面を持つ排出口と残された植物芯を排出するための植物芯排出パイプを備える構造の、植物茎の外皮繊維と芯とを洗浄分離する装置の植物茎外皮繊維洗浄分離ユニット。